(57)【要約】【課題】  ランプ点灯用のインバータ装置を備えた照明器具において、照明器具本体の厚みをインバータ装置の大きさに関わらず小さくし、照明器具の小型化、薄型化を図ることを目的とする。【解決手段】  少なくともランプ３と、このランプ３を点灯させるインバータ回路２を内蔵したインバータ装置１とを含んで構成される照明器具において、ランプ３とインバータ装置１とを離間して設置した構造を有する。例えば、インバータ装置１を天井６に直付けし、ランプ３とそれを覆うセード４ａとから構成される照明器具本体７ａを、天井６に直付けしたインバータ装置１から吊り具５を介して吊り下げることによって、インバータ装置１とランプ３とを離間して設置するようにした。【選択図】      図１
2006012483.tif 000002
【特許請求の範囲】
【請求項１】
少なくともランプと、このランプを点灯させるインバータ回路を内蔵したインバータ装置とを含んで構成される照明器具において、前記ランプと前記インバータ装置とが離間して設置されていることを特徴とする照明器具。
【請求項２】
前記インバータ装置を天井に直付けし、前記ランプを天井に直付けした前記インバータ装置から吊り具を介して吊り下げることを特徴とする請求項１記載の照明器具。
【請求項３】
前記インバータ装置を壁に直付けし、前記ランプを壁に直付けした前記インバータ装置から伸びるアームの先端に取り付けたことを特徴とする請求項１記載の照明器具。
【請求項４】
前記ランプは、前記吊り具又はアームに着脱自在に取り付けられることを特徴とする請求項２又は３記載の照明器具。
【請求項５】
前記ランプは、直管型蛍光ランプあるいは環状蛍光ランプであることを特徴とする請求項２又は３記載の照明器具。
【請求項６】
前記吊り具は、電源コードあるいは電源コード以外の吊り下げ用部材であることを特徴とする請求項２記載の照明器具。
【請求項７】
前記天井又は壁に直付けした１個の前記インバータ装置に対し、このインバータ装置を共通使用可能とする複数の前記ランプをそれぞれ交換可能としたことを特徴とする請求項２又は３記載の照明器具。
【請求項８】
前記ランプを交換する際、電源コードとの間に設けたソケットを介して前記インバータ装置と前記ランプとの電気的着脱を行い、交換可能としたことを特徴とする請求項７記載の照明器具。
【請求項９】
前記インバータ装置を単独で交換可能としたことを特徴とする請求項２又は３記載の照明器具。
【請求項１０】
前記ランプはセードで覆われた一体構造を有することを特徴とする請求項２又は３記載の照明器具。
【請求項１１】
前記ランプ及び前記セードのいずれか一方を単独で交換可能としたことを特徴とする請求項１０記載の照明器具。
【請求項１２】
前記ランプ及び前記セードの両方を同時に交換可能としたことを特徴とする請求項１０記載の照明器具。
【請求項１３】
ランプを取り付ける手段と、天井又は壁に直付けする手段とを備えたことを特徴とするインバータ装置。
【発明の詳細な説明】
【技術分野】
【０００１】
本発明は、家庭用として一般的に用いられている照明器具に関するもので、特に蛍光ランプ点灯用のインバータ回路を内蔵したインバータ装置を有する照明器具及びインバータ装置に関する。
【背景技術】
【０００２】
従来、家庭などで用いられる一般的な照明器具のうち、例えば、吊り下げ型照明器具においては図３の概略図に示すような部品構成となっている。すなわち、蛍光ランプ（以下、単にランプと称する）点灯用のインバータ回路２が内蔵されたインバータ装置１と、このインバータ装置１の下側に金具８によって取り付けられた環状蛍光ランプなどのランプ３と、このランプ３とインバータ装置１とを一体に覆うセード４とを具備する。そして、これらの構成部品によって照明器具本体７が構成され、この照明器具本体７を電源コード又はチェーンなどの吊り具５を介して天井６から吊り下げることによって、照明器具を構成している。
【０００３】
このように、従来の家庭用の一般的な照明器具は、インバータ回路２が内蔵されたインバータ装置１が照明器具本体７に組み込まれた構造となっている。そのため、インバータ装置１の大きさ（高さ）に合わせて照明器具本体７の大きさ（高さ）も左右されることになる。このことは、卓上スタンドにおいても同様である。
【０００４】
この照明器具の大きさを少しでも小型化するために、従来、照明器具本体７を天井６に直付けする直付け型照明器具が実用化されている。そして、この直付け型照明器具はインバータ装置１の面積を天井面に沿った方向に広げて大きくすることによってインバータ装置１の高さを小さくし、照明器具本体７の薄型化を行ってきた。
【０００５】
そのほかの吊り下げ型の照明器具としては、インバータ回路を二分割して一方を天井側に取り付け、他方をランプ側に取り付けたものがある（例えば、引用文献１参照。）。また、インバータ回路を天井側に残し、軽くなったランプ側を昇降動作させるようにした高所用のものなどが提案されている（例えば、引用文献２参照。）。しかし、一般家庭用の照明器具において、インバータ部分とランプ部分を分離させた構造のものは提案されていない。
【０００６】
【特許文献１】実公昭６１−１３８１１３号公報
【特許文献２】特開２００１−１２６５２８号公報
【発明の開示】
【発明が解決しようとする課題】
【０００７】
このように従来の一般的な照明器具は、照明器具本体にランプとそれを点灯させるインバータ回路を内蔵したインバータ装置とが具備されており、照明器具本体の大きさがランプとインバータ装置を含んだ大きさとなっている。そのためセードの容積も大きくなり、セードも含めた照明器具の本体部分は、室内においては見た目にもかさばって見えるだけでなく、インテリアとしてもふさわしいものではない。
【０００８】
また、インバータ装置の面積を小さくできたとしてもランプの大きさはそのままであり、これを覆うセードの大きさもほとんど変わらない。このように従来は、照明器具本体の大きさを抑えることができないため、照明器具としての小型化は困難であった。
【０００９】
本発明は、この課題を解決するためになされたもので、照明器具本体の厚みをインバータ装置の大きさに関わらず小さくし、照明器具の小型化、薄型化を図ることを目的としている。
【課題を解決するための手段】
【００１０】
本発明は、少なくともランプと、このランプを点灯させるインバータ回路を内蔵したインバータ装置とを含んで構成される照明器具において、前記ランプと前記インバータ装置とを離間して設置した構造を有している。
【００１１】
また、本発明において、前記インバータ装置を天井に直付けし、前記ランプを天井に直付けした前記インバータ装置から吊り具を介して吊り下げる構造としている。
【００１２】
また、本発明において、前記インバータ装置を壁に直付けし、前記ランプを壁に直付けした前記インバータ装置から伸びるアームの先端に取り付ける構造としている。
【００１３】
また、本発明において、前記ランプは、前記吊り具又はアームに着脱自在に取り付けられている。また、前記ランプは、直管型蛍光ランプあるいは環状蛍光ランプであり、前記吊り具は、電源コードあるいは電源コード以外の吊り下げ用部材である。
【００１４】
また、本発明において、前記天井又は壁に直付けした１個の前記インバータ装置に対し、このインバータ装置を共通使用可能とする複数の前記ランプをそれぞれ交換可能としている。前記ランプを交換する際、電源コードとの間に設けたソケットを介して前記インバータ装置と前記ランプとの電気的着脱を行って交換可能とし、さらに、前記インバータ装置のみを単独で交換可能としている。
【００１５】
また、本発明において、前記ランプはセードで覆われた一体構造を有しており、前記ランプ及び前記セードのいずれか一方を単独で交換可能とするとともに、前記ランプ及び前記セードの両方を同時に交換可能としている。
【００１６】
また、本発明は、少なくともランプと、このランプを点灯させるインバータ回路を内蔵したインバータ装置とを含んで構成される照明器具から前記インバータ装置を分離し、分離した前記インバータ装置は単独で天井又は壁に直付け可能としている。
【発明の効果】
【００１７】
本発明による照明器具によれば、インバータ装置をランプから分離して離間させ、照明器具本体の薄型化を実現したことによって以下の効果があげられる。第１に、照明器具本体を構成する樹脂材料コストの削減、及び樹脂モールド金型などに係る製造コストの削減が得られることである。これは、今までセードで覆われていたインバータ装置を分離したことによってセードの高さを薄くできるようになったことによる。第２に、分離したインバータ装置を天井又は壁に直付けして使用することによって、インバータ装置の共通化を図ることがあげられる。これにより１個の天井又は壁に直付けしたインバータ装置に対し、種々の照明器具本体を好みに合わせて交換可能としたことである。第３に、ランプとインバータ装置を離間させたことによって、ランプの発熱によるインバータ回路への熱影響を減少させることができることである。
【発明を実施するための最良の形態】
【００１８】
次に本発明の実施の形態について図面を参照して説明する。図１は本発明の照明器具における第１の実施の形態を示す概略図で、吊り下げ型照明器具を例にとって説明する。
【００１９】
図１に示すように、インバータ回路２を内蔵したインバータ装置１をランプ３から分離し、このインバータ装置１を天井６にネジ等によって直付けして取り付ける。一方、インバータ装置１から分離されたランプ３は、複数の金具８を介してセード４ａの内部に取り付けられ、ランプ３とセード４ａを合わせて薄型の照明器具本体７ａを構成している。ここでセード４ａはランプ３が収まるだけの厚みがあればよく、従来のようにインバータ装置１を含む必要がないため薄型化かつ軽量化が可能となっている。金具８は可撓性を有する薄板で構成され、一端がセード４ａに固定され、他端が曲げられてランプ３を支持し、ランプ３の着脱を容易にしている。
【００２０】
そして、天井６に取り付けられたインバータ装置１と照明器具本体７ａとの間は吊り具５を兼ねた１本の電源コード等で接続され、照明器具本体７ａのみを吊り下げた構造となっている。本発明によれば、インバータ装置１を吊り下げる必要がなくなったので電源コードにかかる荷重はランプ３とセード４ａの重量のみとなり、従来に比べ遥かに軽くなったことによって電源コードの損傷を防ぐことができる。この際、吊り具５である電源コードに荷重が加わらないようにするために、チェーン等の吊り下げ用部材を用いて照明器具本体７ａを天井又はインバータ装置から吊り下げるようにしてもよい。
【００２１】
次に、図２を参照して本発明における第２の実施の形態について説明する。図２はその概略図である。第１の実施の形態では、インバータ装置を水平な天井面に取り付けた場合を示したが、本実施の形態ではインバータ装置を垂直な壁面に取り付けた場合を示している。
【００２２】
図２に示すように、インバータ回路２を内蔵したインバータ装置１をランプ３から分離し、このインバータ装置１を壁９にネジ等によって直付けして取り付ける。一方、インバータ装置１から分離されたランプ３は、複数の金具８を介してセード４ａの内部に取り付けられ、ランプ３とセード４ａを合わせて薄型の照明器具本体７ａを構成している。ここでセード４ａはランプ３が収まるだけの厚みがあればよく、従来のようにインバータ装置１を含む必要がないため薄型化かつ軽量化が可能となっている。金具８は可撓性を有する薄板で構成され、一端がセード４ａに固定され、他端が曲げられてランプ３を支持し、ランプ３の着脱を容易にしている。
【００２３】
そして、壁９に取り付けられたインバータ装置１には、略水平方向に伸びるアーム１０が設けられ、アーム１０の先端には照明器具本体７ａが取り付けられている。照明器具本体７ａはアーム１０の先端に固定してもよいし、第１の実施の形態と同様、吊り具を介して先端から吊り下げてもよい。また、アーム１０をパイプ状にすれば内部に電源コードを通すことができる。
【００２４】
さらに本発明は、第１及び第２の実施の形態に示したように、天井６あるいは壁９に取り付けた１個のインバータ装置１に対し、このインバータ装置１との間で共通使用が可能な複数の照明器具本体７ａをそれぞれ交換可能としたことを特徴としている。そして交換を容易にするために、電源コードとランプの間の接続にはソケット（図示せず）を設けて行うようにしている。これにより、交換の際の電気的着脱を容易とすることができる。
【００２５】
また、この交換は、ランプとセードを同時に交換してもよいし、ランプだけ又はセードだけを交換してもよい。これによりセードの色やデザインを好みに合わせることができる。これは、セードの高さを薄くすることが可能となったことからセードの材料コスト、製造コストが下がり、種類を豊富に取り揃えることが可能となったことによる。
【００２６】
また、ランプ３の形状は環状蛍光ランプでも直管蛍光ランプでもよく、セード４ａもランプ形状に合わせた薄型形状のものを用いればよい。また、照明器具本体７ａの厚みをインバータ装置１の大きさに関係なく薄くすることができるようになったので、照明器具の小型化が実現できる。
【００２７】
さらに、従来、インバータ装置と一体構造であったランプをインバータ装置から分離させて設置するようにしたことによって、ランプとインバータ回路の間は電源コード等の電源線で接続されているだけで両者は離間して設置されるようになった。そのため、ランプからの発熱が遮断され、インバータ回路への熱影響を低減することができる。これにより照明器具の寿命を大幅に伸ばすことができる。
【００２８】
また、インバータ装置に不具合が発生した場合などに、インバータ装置のみを交換することも可能となる。また、インバータ装置を天井又は壁に直付けしたことによってインバータ装置自身の放熱効果も得られる。
【産業上の利用可能性】
【００２９】
本発明によれば、インバータ装置の共通使用化、照明器具本体の薄型化による材料及び製造コスト低減、ランプをインバータ装置から分離させたことによるインバータ回路への熱影響の低減が得られる。また、１個のインバータ装置を天井又は壁に直付けしておくだけで好みの照明器具本体を種々選択することができるので、経済性だけでなくインテリア性にも優れた機能が得られ、家庭用の照明器具としての利用可能性は極めて高いものがある。
【図面の簡単な説明】
【００３０】
【図１】本発明における第１の実施の形態を示す概略図である。
【図２】本発明における第２の実施の形態を示す概略図である。
【図３】従来の照明器具の一例を示す概略図である。
【符号の説明】
【００３１】
１    インバータ装置
２    インバータ回路
３    ランプ
４、４ａ    セード
５    吊り具
６    天井
７、７ａ    照明器具本体
８    金具
９    壁
１０    アーム
【図１】
2006012483.tif 000003
【図２】
2006012483.tif 000004
【図３】
2006012483.tif 000005